(57)【特許請求の範囲】
【請求項１】
ダイヤフラム室（１）のガス圧変化によって変位するダイヤフラム（２）、このダイヤフラム（２）の中心を貫通し回転可能、かつ気密に取り付けられ軸方向に共動する変位伝達棒（３）、上記変位伝達棒（３）の下降によってガス圧低下を表示するガス圧低下表示部（９）を備え、上記ガス圧低下表示部（９）を、表示板（１１）を有するアーム（１２）を固着した支点軸（１３）を軸受け（１４）で支承し、変位伝達棒（３）の頂部に設けた掛合部（１５）を上記アーム（１２）の力点（Ｐ）に掛合させ、ダイヤフラム（２）の変位によって、上記掛合部（１５）がアーム（１２）の力点（Ｐ）を掛け下げて該アーム（１２）を回動させ、表示板（１１）がガス圧低下表示状態に至ると、その状態を保持する構成とした保持機能付き切替え表示調整器において、上記支点軸（１３）に押し・捩じりバネ（１６）を装着し、表示板（１１）がガス圧低下表示状態に至ると、押し・捩じりバネ（１６）の押し付勢により、軸受け（１４）と支点軸（１３）またはアーム（１２）との間に支点軸（１３）の回転を阻止する嵌め合いが生じてガス圧低下表示状態を保持するとともに、支点軸（１３）が軸方向に移動してその先端が軸受け（１４）から突出する構成としたことを特徴とする保持機能付き切替え表示調整器。
【請求項２】
上記保持機能付き切替え表示調整器において、弁体切替えハンドル（１０）が回されるとき、弁体切替えハンドル（１０）の基板（１７）に設けられた円弧状立て壁（１８）が、軸受け（１４）から突出した支点軸（１３）の先端（３３）を押し戻し、押し・捩じりバネ（１６）の捩じり付勢により表示板（１１）を有するアーム（１２）を倒伏させる機構を付加してなることを特徴とする請求項１に記載の保持機能付き切替え表示調整器。
【発明の詳細な説明】
【０００１】
【発明の属する技術分野】
この発明は、ガス供給ボンベのガス切れによるガス圧低下状態を表示（報知）するとともに、ボンベの接続状態を表示する調整器であって、一旦表示されたガス圧低下状態が逆戻りしない機能を付加した保持機能付き切替え表示調整器に関する。
【０００２】
【従来の技術】
液化石油ガス（以下、単にガスという）の供給は、通常複数本、例えば二本のボンベから高圧ガス管を導出して切替え表示調整器のガス流入口に接続し、ボンベのガスを交互に消費してゆくようにしている。ここで使用される切替え表示調整器は、例えば実願昭５６−１０５８３９号（実公昭６０−６６９７号公報）に記載のように、ダイヤフラム室に流入するガス圧の変化によって変位するダイヤフラム、このダイヤフラムと共動し回転可能な変位伝達棒、上記変位伝達棒の下部に取り付けられた弁体切替えカム、片端が上記弁体切替えカムに当接し他端が弁棒に当接する揺動リンク、上記弁棒と共動し弁口を常閉に付勢された弁体、上記ダイヤフラムと共動する変位伝達棒の下降によってガス圧低下を表示するガス圧低下表示部、上記変位伝達棒と共に弁体切替えカムを回転させる切替えハンドルからなる構成をしたものである。
【０００３】
【発明が解決しようとする課題】
上記構成のものでは、ボンベのガス圧低下状態になると一旦は、ガス圧低下状態を表示するが、ガス消費ラインでの消費が停まったり、外気温の上昇や太陽熱などの原因でダイヤフラム室の内圧が上昇してガス圧低下の表示が消えてしまい、ボンベのガス切れ状態を正確に把握できなくなる問題がある。
【０００４】
上記問題に鑑みこの発明は、一旦ガス圧低下状態を表示すると、その状態を保持し、確実にボンベのガス切れ状態を報知する保持機能付き切替え表示調整器を提供することを課題とする。
【０００５】
【課題を解決するための手段】
上記課題を解決するためにこの発明は、ダイヤフラム室１のガス圧変化によって変位するダイヤフラム２、このダイヤフラム２の中心を貫通し回転可能、かつ気密に取り付けられ軸方向に共動する変位伝達棒３、上記変位伝達棒３の下部に固着された弁体切替えカム４に、その片端が上記弁体切替えカム４に、他端が弁棒５に当接した揺動リンク６、上記弁棒５と共動し弁口７を常閉に付勢された弁体８、上記ダイヤフラム２と共動する変位伝達棒３の下降によってガス圧低下を表示するガス圧低下表示部９、上記変位伝達棒３とともに弁体切替えカム４を回転させる弁体切替えハンドル１０を備え、上記ガス圧低下表示部９を、表示板１１を有するアーム１２を固着した支点軸１３を軸受け１４で支承し、変位伝達棒３の頂部に設けた掛合部１５を上記アーム１２の力点Ｐに掛合させ、ダイヤフラム２の変位によって、上記掛合部１５がアーム１２の力点Ｐを掛け下げて該アーム１２を回動させ、表示板１１のガス圧低下表示を保持状態とし、上記弁体切替えハンドル１０を回すことにより、上記保持状態を解除されるようにし、上記支点軸１３に押し・捩じりバネ１６を装着し、表示板１１がガス圧低下表示状態に至ると、押し・捩じりバネ１６の押し付勢により、軸受け１４と支点軸１３またはアーム１２との間に支点軸１３の回転を阻止する嵌め合いが生じてガス圧低下表示状態を保持するとともに、支点軸１３が軸方向に移動してその先端が軸受け１４から突出するようにしたものである。
【０００６】
また必要ならば、弁体切替えハンドル１０が回されるとき、弁体切替えハンドル１０の基板１７に設けられた円弧状立て壁１８が、軸受け１４から突出した支点軸１３の先端を押し戻し、押し・捩じりバネ１６の捩じり付勢により表示板１１を有するアーム１２を倒伏させる機構を付加してなるものである。
【０００７】
上記の如く構成する各発明は、ボンベのガス切れ状態になって表示板がガス圧低下表示状態になると、その表示の保持機能が働き、その後、環境条件が変化してダイヤフラム室の内圧が上昇しても、ガス圧低下表示状態が逆戻りすることがなく、確実にボンベのガス切れ状態を把握することが可能となる。
【０００８】
【発明の実施の形態】
次に、この発明に係る第一実施形態を図面を参照しながら説明する。２４ａは第一流入口、２４ｂは第二流入口で、２５は流出口である。いま、第一、第二流入口２４ａ、２４ｂに接続されているボンベには、ガスが充填された状態であるとし、弁体切替えカム４は、第一流入口２４ａ側に切替えられていて、揺動リンク６を介して弁棒５が押され弁体８が後退して、弁口７が開いた状態にある。
【０００９】
流出口２５からガスが消費されて第一流入口２４ａに接続されたボンベのガスがなくなると、ダイヤフラム室１の内圧が低下し、ダイヤフラム２は、その上部に装着されたバネ２６の押し下げ付勢によって次第に下降する。ダイヤフラム２が下降すると、それと共に変位伝達棒３も下降する。ここで変位伝達棒３は、軸方向に共動するが回転可能、かつ気密にダイヤフラム２に取り付けられている。
【００１０】
ダイヤフラム大気室２７の上には、弁体切替えハンドル１０の基盤１７が嵌まっていて、その中心を変位伝達棒３が貫通し、基盤１７のボス２８の内形を６角形の長孔２９とし、その部分に嵌まる変位伝達棒３の外形を６角として、軸方向に摺動可能にして互いに空回りしないようになっている。
【００１１】
変位伝達棒３の上端には、小円形の掛合部１５が形成され、この掛合部１５は、ダイヤフラム大気室２７の上面から立ち上げた軸受け１４、１４’に支承された支点軸１３に固着されたアーム１２の力点Ｐに掛合している。アーム１２の端には表示板１１がＬ字状に曲がって一体に設けられ、支点軸１３には、押し・捩じりバネ１６が装着されている。アーム１２が振り上ると表示板１１はカバー３０の表示窓３１の内側で一致するようになっている。なお、カバー３０は必要に応じ外せるように弁体切替えハンドル１０の基盤１７に嵌め合わされている。ここで、弁体切替えハンドルの基盤に、二個の円弧状の長孔４０，４１が設けられているが、ダイヤフラム大気室２７の上面から立ち上がった軸受け１４、１４’が貫通するためのものである。
【００１２】
片方の軸受け１４’には、支点軸１３と平行な貫通孔３２が設けられ、アーム１２の軸受け１４’側には表示板１１がガス圧低下状態を表示したときに押し・捩じりバネ１６の押し付勢によって上記貫通孔３２に嵌まり合う凸部２０が設けられていて、凸部２０が貫通孔３２に嵌まり合ったとき支点軸１３の先端が軸受け１４’の外側面から突き出し状態３３になるようにしている。
【００１３】
弁体切替えハンドル１０の基盤１７の上面には、変位伝達棒３が貫通している孔を中心とする円弧状立て壁１８が設けられていて、その両端は外側に開いてアプローチを形成し、弁体切替えハンドル１０を回したとき支点軸１３の先端突き出し３３をスムーズに押し込み得るようにしている。
【００１４】
一端に表示板１１を有するアーム１２の中間位置には永久磁石３４が取り付けられ、表示板１１がガス圧低下状態を表示した時点でブラケット３５に取り付けられたリードスイッチ３６が作動するようにしてある。なお、永久磁石とリードスイッチに代えて光ファイバーコード３８により光を誘導し、表示板１１の裏に反射板４３を設け、表示板１１の位置を光センサー３９で検出して警報機を作動させることもできる。
【００１５】
断面Ｈ形をした弁体８は、その後方にバネ座４２で支持され弁体８の後方に嵌まり込んでいる押しバネ３７によって弁口７が常閉になる方向に付勢されるように装着されている。
【００１６】
上記実施形態では、ガス圧低下表示の保持機構として、表示板１１がガス圧低下状態を表示したときに押し・捩じりバネ１６の押し付勢によって軸受け１４’に設けた貫通孔３２に、アーム１２の側面に設けた凸部２０が嵌まり合うようにしたが、次のような機構を採用することができる。
【００１７】
即ち、図８に示すように、軸受け１４’の軸孔２２に溝２１を設け支点軸１３に軸方向の凸条２３を設けて、表示板１１がガス圧低下状態を表示したとき凸条２３が溝に嵌まるようにする。なお、軸孔２２の溝２１及び支点軸１３の凸条２３を単数にしてもよい。
【００１８】
次にこの実施形態の機能について説明する。図において、弁体切替えハンドル１０は第一流入口２４ａに向けられている。即ち、弁体切替えカム４は、揺動リンク６を介して第一流入口２４ａの弁体８と共動する弁棒５を押し込み、弁口７を開きダイヤフラム室１の内圧はボンベから供給されるガスによって所定の圧力になっている。
【００１９】
ボンベのガスが消費されガス切れになると、ダイヤフラム室１の内圧が低下するが、この状態になるとダイヤフラム大気室２７のバネの付勢によりダイヤフラム２が下降する。ダイヤフラム２が下降すると、変位伝達棒３が共に下降して、その上端にある掛合部１５が、端部に表示板１１を有するアーム１２の力点Ｐに掛合して引き下げる。力点Ｐが引き下げられるとアーム１２は、支点軸１３を軸にして回動しアーム１２の端に設けた表示板１１が振り上がりカバー３０の頂部に設けた表示窓３１の位置に重なり、ガス圧低下を表示する。
【００２０】
ガス圧低下状態を表示すると、アーム１２の側面に設けた凸部２０が、軸受け１４’に設けた貫通孔３２に嵌まり、支点軸１３の先端が軸受け１４’の外側に突出しその状態が保持される。従って、ガスの消費が停まったり、その他の環境の変化でダイヤフラム室１の内圧が上昇しても表示は逆戻りしない。
【００２１】
ガス圧低下状態を示すと、アーム１２の中程に取り付けられた永久磁石３４によりリードスイッチ３６が作動して管理室等に設置された警報機がボンベのガス切れを報知する。
【００２２】
ガス切れ報知を受けて、弁体切替えハンドル１０を第二流入口２４ｂ側に切替えると揺動リンク６を介して弁棒５が押し込まれ、弁体８も共動して弁口７が開かれ、ボンベからガスが供給されダイヤフラム室１の内圧が上昇する。弁体切替えハンドル１０が第一流入口２４ａ側から第二流入口２４ｂ側に切替えられるとき、弁体切替えハンドル１０の基盤１７に設けられた円弧状立て壁１８が、軸受１４’の外側に突出した支点軸１３の先端３３を押し込み、貫通孔３２に嵌まっていた凸部２０が抜けて、押し・捩じりバネの捩じり付勢によって表示板を有するアーム１２が倒伏する。
【００２３】
弁体切替えハンドル１０が切替えられると、弁体切替えカム４もその位置を変更し、第一流入口２４ａの弁体８は、押しバネ３７の付勢によって弁口７を閉塞する。ガス切れになった第一流入口２４ａ側のボンベは、ガスが充填された新しいボンベと取り替えられるが、第一流入口２４ａの弁体８が弁口７を閉塞しているので、取り替えられたボンベのガスは消費されず、弁体切替えハンドル１０が切替えられるまでその状態を維持する。
【００２４】
【発明の効果】
以上説明した如く、この発明によれば一旦ガス圧低下状態を表示すると、その状態を保持し、確実にボンベのガス切れ状態を報知することができる。
【図面の簡単な説明】
【図１】この発明に係る実施形態の横断面図
【図２】同縦断面図
【図３】同上面図
【図４】（ａ）  弁体切替えハンドルの斜視図
（ｂ）  同上面図
（ｃ）  同下面図
【図５】（ａ）  図４（ａ）のＡ−Ａ断面図
（ｂ）  図４（ａ）のＢ−Ｂ断面図
【図６】（ａ）  ガス圧低下表示動作説明の縦断面図
（ｂ）  ガス圧低下表示動作説明の横断面図
【図７】（ａ）  ガス圧低下表示保持状態説明の縦断面図
（ｂ）  ガス圧低下表示保持状態説明の横断面図
【図８】他の実施形態におけるガス圧低下表示保持状態説明の横断面図
【符号の説明】
１  ダイヤフラム室
２  ダイヤフラム
３  変位伝達棒
４  弁体切替えカム
５  弁棒
６  揺動リンク
７  弁口
８  弁体
９  ガス圧低下表示部
１０  弁体切替えハンドル
１１  表示板
１２  アーム
１３  支点軸
１４，１４’  軸受け
１５  掛合部
１６  押し・捩じりバネ
１７  基盤
１８  円弧状立て壁
１９  軸受け孔
２０  凸部
２１  溝
２２  軸孔
２３  凸条
２４ａ  第一流入口
２４ｂ  第二流入口
２５  流出口
２６  バネ（ダイヤフラムの）
２７  ダイヤフラム大気室
２８  ボス
２９  長孔
３０  カバー
３１  表示窓
３２  貫通孔
３３  突き出た支点軸の先端
Ｐ  力点（アームの）
【図１】
0003808158.tif 000002
【図２】
0003808158.tif 000003
【図３】
0003808158.tif 000004
【図４】
0003808158.tif 000005
【図５】
0003808158.tif 000006
【図６】
0003808158.tif 000007
【図７】
0003808158.tif 000008
【図８】
0003808158.tif 000009